(57)【要約】【課題】利用者の手間を抑制する。【解決手段】複合機１００は、第１記憶領域２０６ａ、第２記憶領域２０６ｂ、制御部２０６、印刷装置１１０を有する。第１記憶領域２０６ａには原稿の画像を示した画像ファイルが複数記憶されている。第２記憶領域２０６ｂには、配布先と、配布先にて必要となる画像ファイルのファイル名と、配布先に対して配布される印刷物の印刷条件との対応関係を示したテーブルが記憶されている。制御部１１０は、仕分テーブルにて示されている配布先の中の第１配布先に対する印刷指示を受け付けると、仕分テーブルにて第１配布先に対応付けられている印刷条件で、仕分テーブルにて第１配布先に対応付けられているファイル名の画像ファイルの画像を印刷する印刷処理を、印刷装置１１０に実行させる。【選択図】図２
2012011703.tif 000002
【特許請求の範囲】
【請求項１】
印刷処理を行うことによって原稿の画像が印刷された印刷物を出力する印刷装置を制御する印刷制御装置において、
原稿の画像を示した原稿ファイルを複数記憶するファイル記憶部と、
前記印刷物の配布先と、前記ファイル記憶部に記憶されている複数の原稿ファイルのうち前記配布先にて必要となる原稿の画像を示した原稿ファイルのファイル名と、前記配布先に対して配布される印刷物の印刷条件との対応関係を示したテーブルを記憶するテーブル記憶部と、
前記テーブルにて示されている配布先の中の第１配布先に対する印刷指示を受け付けると、前記テーブルにて第１配布先に対応付けられている印刷条件で、前記テーブルにて第１配布先に対応付けられているファイル名の原稿ファイルの画像を印刷する印刷処理を、前記印刷装置に実行させる制御部とを備えることを特徴とする印刷制御装置。
【請求項２】
前記テーブルには、前記配布先と、前記配布先にて必要となる原稿の画像を示した原稿ファイルの印刷順序との対応関係が示されており、
前記制御部は、前記第１配布先に対する印刷指示を受け付けると、前記テーブルにて第１配布先に対応付けられている印刷順序で、前記テーブルにて前記第１配布先に対応付けられている原稿ファイルの原稿の画像が印刷されるように、前記印刷装置を制御することを特徴とする請求項１に記載の印刷制御装置。
【請求項３】
前記テーブルには、前記配布先と前記配布先が有するアドレスとの対応関係が示されており、
前記テーブルにて示されている配布先の中の第２配布先に対する送信指示を受け付けた場合、前記テーブルにて第２配布先に対応付けられている印刷条件と、前記テーブルにて第２配布先に対応付けられているファイル名の原稿ファイルの画像の画像データとを示した印刷データを前記アドレスに送信する送信部を有することを特徴とする請求項１または２に記載の印刷制御装置。
【請求項４】
前記制御部は、前記ファイル記憶部に対するデータの書込処理を設定期間にて許可し、前記設定期間以外の期間では、前記ファイル記憶部に対するデータの書込処理を禁止することを特徴とする請求項１から３のいずれか１項に記載の印刷制御装置。
【請求項５】
請求項１から４のいずれか１項に記載の印刷制御装置と前記印刷装置とを有することを特徴とする画像形成装置。
【発明の詳細な説明】
【技術分野】
【０００１】
本発明は、画像データの画像を印刷する印刷装置を制御する印刷制御装置、前記印刷装置および前記印刷制御装置を備える画像形成装置に関するものである。
【背景技術】
【０００２】
会社内で定期的に開催される定期会議では、各出席者へ配布される資料の種類および印刷条件は毎回の会議で同じであるものの、配布される資料の種類および印刷条件が配布先毎で異なることがある。
【０００３】
配布される資料の種類が配布先毎で異なるようなケースとしては、以下のような事例が挙げられる。定例会議において会議時間内は常に出席している議長には、全ての資料を配布するが、会議時間内のうち営業実績報告時しか出席しない営業担当者には、営業実績報告書のみを配布するようなケースである。また、配布される資料の印刷条件が配布先毎で異なるようなケースとしては、以下のような事例が挙げられる。配布先の中に老眼になっている重役が含まれ、通常の出席者に配布する印刷物については、印刷用紙を節約するために割付印刷によって出力するが、前記重役に配布する印刷物については、老眼でも資料の確認を行うことを可能にするために割付印刷を用いずに出力するようなケースである。なお、割付印刷とは、印刷用紙１枚の片面に対して複数頁を形成する手法である。
【先行技術文献】
【特許文献】
【０００４】
【特許文献１】特開２０００−３１５１３０号公報
【特許文献２】特開２００２−１３２０９９号公報
【特許文献３】特開２００２−１４９０１１号公報
【特許文献４】特開２００７−０７９３８２号公報
【発明の概要】
【発明が解決しようとする課題】
【０００５】
前記の定期会議の資料の準備を行う場合、配布先毎で異なる印刷条件で異なる資料（原稿）を印刷する必要がある。したがって、従来の印刷装置を用いて資料の準備を行う場合、定期会議の開催の度に、配布先毎に印刷条件の設定作業および配布先毎の原稿の選定作業を行う必要があり、手間が生じていた。
【０００６】
本発明は、前記の課題に鑑みてなされたものであり、利用者の手間を抑制し得る印刷制御装置および印刷装置を提供することを目的としている。
【課題を解決するための手段】
【０００７】
前記の課題を解決するために、本発明は、印刷処理を行うことによって原稿の画像が印刷された印刷物を出力する印刷装置を制御する印刷制御装置において、原稿の画像を示した原稿ファイルを複数記憶するファイル記憶部と、前記印刷物の配布先と、前記ファイル記憶部に記憶されている複数の原稿ファイルのうち前記配布先にて必要となる原稿の画像を示した原稿ファイルのファイル名と、前記配布先に対して配布される印刷物の印刷条件との対応関係を示したテーブルを記憶するテーブル記憶部と、前記テーブルにて示されている配布先の中の第１配布先に対する印刷指示を受け付けると、前記テーブルにて第１配布先に対応付けられている印刷条件で、前記テーブルにて第１配布先に対応付けられているファイル名の原稿ファイルの画像を印刷する印刷処理を、前記印刷装置に実行させる制御部とを備えることを特徴とする。前記構成によれば、各配布先と各配布先の印刷条件と各配布先に必要な原稿ファイルとの対応関係が予め記憶されており、この対応関係に従って印刷処理が実行される。したがって、定期会議等によって各配布先への原稿の印刷物の配布が必要になる度に、全配布者に対して必要になる全ての原稿ファイルを前記テーブルにて定められているファイル名でファイル記憶部に格納さえしておけば、配布先毎の印刷条件の設定作業や配布先毎の原稿の選定作業を省略して、配布先毎に異なる印刷条件で異なる原稿の画像の印刷が可能になる。それゆえ、利用者の手間を軽減できるという効果を奏する。
【０００８】
本発明の印刷制御装置において、前記テーブルには、前記配布先と、前記配布先にて必要となる原稿の画像を示した原稿ファイルの印刷順序との対応関係が示されており、前記制御部は、前記第１配布先に対する印刷指示を受け付けると、前記テーブルにて第１配布先に対応付けられている印刷順序で、前記テーブルにて前記第１配布先に対応付けられている原稿ファイルの原稿の画像が印刷されるように、前記印刷装置を制御することを特徴とする。前記構成によれば、前記テーブルに所望の印刷順序を設定しておけば、常に所望の印刷順序で原稿ファイルの原稿の画像が印刷されるため、積載された印刷物の並び順をソートする必要がないという効果を奏する。
【０００９】
本発明の印刷制御装置において、前記テーブルには、前記配布先と前記配布先が有するアドレスとの対応関係が示されており、前記テーブルにて示されている配布先の中の第２配布先に対する送信指示を受け付けた場合、前記テーブルにて第２配布先に対応付けられている印刷条件と、前記テーブルにて第２配布先に対応付けられているファイル名の原稿ファイルの画像の画像データとを示した印刷データを前記アドレスに送信する送信部を有することを特徴とする。前記構成によれば、第２配布先に必要な原稿の画像のデータおよび第２配布先に対応付けられている印刷条件を示した印刷データを、第２配布先の有するアドレスに送信できる。それゆえ、第２配布先の利用者が日頃から使用している印刷装置や第２配布先の利用者が日頃から使用している端末装置（印刷装置を制御する端末装置）に前記印刷データを送信するようなことが可能である。これにより、第２配布先の利用者は、日頃から使用している印刷装置から印刷物を出力することが可能になり、利用者の手間をさらに軽減することができる。
【００１０】
また、本発明の印刷制御装置において、前記制御部は、前記ファイル記憶部に対するデータの書込処理を設定期間にて許可し、前記設定期間以外の期間では、前記ファイル記憶部に対するデータの書込処理を禁止することを特徴とする。これにより、特定の期間（設定期間）のみ、前記ファイル記憶部に記憶される原稿ファイルの更新が可能になる。それゆえ、特定の期間の満了直後に原稿ファイルの画像の印刷または送信を行うようにすれば、更新前の原稿ファイルの画像が印刷（送信）されるといった不都合を抑制できる。
例えば、ファイル記憶部に記憶されている原稿ファイルが会議資料であり、資料準備担当者が全ての会議資料の画像を印刷した後、会議資料ａの作成者がファイル記憶部に記憶されている会議資料ａの内容を更新したような場合、会議の場において、出席者に印刷配布された会議資料ａと、会議資料ａの作成者の説明内容とが合わないという不都合が生じる。これに対し、前記構成において、特定の期間の満了直後に原稿ファイルの画像の印刷または送信を行うようにすれば、このような不都合が生じない。
【００１１】
本発明の画像形成装置は、前記印刷制御装置と前記印刷装置とを有することを特徴とする。
【発明の効果】
【００１２】
本発明によれば、配布先毎の印刷条件の設定作業や配布先毎の原稿の選定作業を省略して、配布先毎に異なる印刷条件で異なる原稿の画像の印刷が可能になる。それゆえ、利用者の手間を軽減できるという効果を奏する。
【図面の簡単な説明】
【００１３】
【図１】本発明の一実施形態に係る複合機の内部構成を示す模式図である。
【図２】本発明の一実施形態に係る複合機が有する各ハードウェアを示すブロック図である。
【図３】（ａ）は、４月の或る日において記憶部の第１記憶領域に記憶されている各画像ファイルのファイル名を示した説明図であり、（ｂ）は、５月の或る日において記憶部の第１記憶領域に記憶されている各画像ファイルのファイル名を示した説明図である。
【図４】複合機の記憶部の第２記憶領域に記憶されている仕分テーブルを示した図である。
【図５】本発明の一実施形態に係る複合機にて実行される仕分ジョブの処理の流れを示すフローチャートである。
【発明を実施するための形態】
【００１４】
本発明の実施の一形態について図に基づいて説明すれば、以下の通りである。図１は、本実施形態の複合機の構成例を示す図である。複合機１００は、複写ジョブ、プリントジョブ、ファイリングジョブ等を実行可能な画像形成装置である。複合機１００は、原稿から光学的に画像を読み取る処理を行う画像読取装置９０と用紙に対して画像を印刷する印刷装置１１０とを有する。
【００１５】
なお、複写ジョブとは、画像読取装置９０にて読み取られた原稿の画像の画像データに基づき、当該画像を用紙へ印刷するジョブを指す。プリントジョブとは、複合機１００に接続されている端末装置から送られてくるプリントジョブのデータ（画像データ）に基づき、用紙上に画像を印刷するジョブを指す。ファリングジョブとは、画像読取装置９０にて読み取られた原稿の画像の画像データを、利用者に選択された形式のファイル（例えばＰＤＦファイル）に変換し、当該ファイルを複合機１００の記憶部に保存するジョブを指す。
【００１６】
本実施形態の画像読取装置（原稿読取装置）９０は、図１に示すように、プラテンガラス９２と、プラテンガラス９２の上側に配される原稿自動搬送装置１２０と、プラテンガラス９２の下側に配されており撮像素子（ＣＣＤラインセンサ）によって画像データを読み取るスキャナ部１９１とを有している。すなわち、画像読取装置９０は、原稿自動搬送装置１２０にて搬送されている状態の原稿から撮像素子によって画像を読み取って画像データを生成する処理と、プラテンガラス９２上に載置されている状態の原稿から撮像素子によって画像を読み取って画像データを生成する処理とを実行可能なスキャナである。
【００１７】
つぎに、印刷装置について図１に基づいて説明する。印刷装置１１０は、電子写真方式のカラープリンタであって、ＬＡＮ等にて接続されている端末装置から送られてくる画像データに基づく画像を用紙へ印刷するプリントジョブと、画像読取装置９０にて生成された画像データの画像を用紙へ印刷する複写ジョブとを実行可能な装置である。
【００１８】
印刷装置１１０において扱われる画像データは、ブラック（Ｋ）、シアン（Ｃ）、マゼンタ（Ｍ）、イエロー（Ｙ）の各色を用いたカラー画像に応じたものである。したがって、各色に応じた４種類の潜像が形成されるように、現像器２、感光体ドラム３、帯電器５、クリーナユニット４からなる画像形成ステーションが４個設置されている。つまり、印刷装置１１０には、ブラック画像用の画像形成ステーションと、シアン画像用の画像形成ステーションと、イエロー画像用の画像形成ステーションと、マゼンタ画像用の画像形成ステーションとが設けられている。
【００１９】
帯電器（帯電手段）５は、感光体ドラム３の表面を所定の電位に均一に帯電させるための帯電ローラである。なお、帯電器５としては、図１に示すようなローラ型の他、ブラシ型が用いられてもよい。また、ローラ型やブラシ型のような接触型の帯電器ではなく、非接触型の帯電器が用いられてもよい。
【００２０】
露光ユニット１は、レーザ出射部（レーザ光源）と、レーザ出射部から放たれたレーザビームを走査するポリゴンミラーと、ポリゴンミラーによって走査されたレーザ光を感光体ドラム３に導くレンズおよび反射ミラー（光学部材）とを備えるレーザスキャニングユニット（ＬＳＵ）である。なお、発光素子をアレイ状に並べたＥＬやＬＥＤ書込みヘッドを露光ユニットとして設置してもよい。
【００２１】
露光ユニット１は、帯電された感光体ドラム３を、入力された画像データに応じて露光することにより、その表面に、画像データに応じた静電潜像を形成する機能を有する。現像器２は、感光体ドラム３上に形成された静電潜像を現像器２内のトナーによって現像（顕像化）するものである。なお、ブラック画像用の画像形成ステーションの現像器２ではブラックトナーによって現像が行われ、シアン画像用の画像形成ステーションの現像器２ではシアントナーによって現像が行われ、イエロー画像用の画像形成ステーションの現像器２ではイエロートナーによって現像が行われ、マゼンタ画像用の画像形成ステーションの現像器２ではマゼンタトナーによって現像が行われる。
【００２２】
クリーナユニット４は、現像・画像転写後における感光体ドラム３上の表面に残留したトナーを除去・回収するものである。
【００２３】
感光体ドラム３の上方に配置されている中間転写ベルトユニット６は、中間転写ベルト６１、中間転写ベルト駆動ローラ６２、中間転写ベルト従動ローラ６３、中間転写ローラ６４、および中間転写ベルトクリーニングユニット６５を備えている。中間転写ローラ６４はＹＭＣＫ用の各色に対応して４本設けられている。
【００２４】
中間転写ベルト駆動ローラ６２、中間転写ベルト従動ローラ６３、および中間転写ローラ６４は、中間転写ベルト６１を張架して回転駆動させる。また各中間転写ローラ６４は、感光体ドラム３のトナー像を中間転写ベルト６１上に転写するための転写バイアスを与える。
【００２５】
中間転写ベルト６１は、各感光体ドラム３に接触するように設けられている。そして、感光体ドラム３に形成された各色のトナー像が中間転写ベルト６１に順次的に重ねて転写されることによって、中間転写ベルト６１上にカラーのトナー像（多色トナー像）が形成されるようになっている。中間転写ベルト６１は、例えば厚さ１００μｍ〜１５０μｍ程度のフィルムを用いて無端状に形成されている。
【００２６】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では、転写電極としてローラ形状を使用しているが、それ以外にブラシなども用いることが可能である。
【００２７】
上述のように、各感光体ドラム３上で各色に応じて顕像化されたトナー像は中間転写ベルト６１にて積層される。積層されたトナー像は、中間転写ベルト６１の回転によって、転写ローラ１０と中間転写ベルト６１との接触位置（２次転写位置）に搬送され、この接触位置において転写ローラ１０によって用紙（シート）に転写される。
【００２８】
転写ローラ１０は、中間転写ベルト６１に対して所定ニップで圧接されると共に、トナーをシートに転写させるための電圧が印加される（トナーの帯電極性（−）とは逆極性（＋）の高電圧）。さらに、上記所定ニップを定常的に得るために、転写ローラ１０もしくは中間転写ベルト駆動ローラ６２の何れか一方を硬質材料（金属）からなるローラとし、他方を軟質材料からなるローラ（弾性ゴムローラまたは発泡性樹脂ローラ）とする。
【００２９】
また、転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３０】
給紙トレイ（給紙カセット）８１は、画像形成（印刷）に使用する用紙を載置するトレイであり、印刷装置１１０において露光ユニット１の下側に設けられている。また、利用者は、手差トレイ８２にも画像形成（印刷）に使用する用紙を載置することが可能になっている。印刷装置１１０の上方に設けられている排紙トレイ９１は、印刷済みの用紙をフェイスダウンで集積するためのトレイである。
【００３１】
また、印刷装置１１０には、給紙トレイ８１および手差トレイ８２の用紙を、転写ローラ１０や定着ユニット７を経由させて排紙トレイ９１に送るための、略垂直形状のシート搬送路（用紙搬送路）Ｓが設けられている。給紙トレイ８１または手差トレイ８２から排紙トレイ９１までのシート搬送路Ｓの近傍には、ピックアップローラ１１ａ，１１ｂ、複数の搬送ローラ１２ａ〜１２ｄ，レジストローラ１３、転写ローラ１０、定着ユニット７が配されている。
【００３２】
搬送ローラ１２ａ〜１２ｄは、用紙の搬送を促進・補助するための小型のローラであり、シート搬送路Ｓに沿って複数設けられている。ピックアップローラ１１ａは、給紙トレイ８１の端部近傍に取り付けられ、給紙トレイ８１に載置されている用紙をピックアップしてシート搬送路Ｓに供給する。ピックアップローラ１１ｂは、手差トレイ８２の端部近傍に取り付けられ、手差トレイ８２に載置されている用紙をピックアップしてシート搬送路Ｓに供給する。また、レジストローラ１３は、シート搬送路Ｓを搬送されている用紙を一旦保持するものである。レジストローラ１３は、中間転写ベルト６１に形成されているトナー像の先端と用紙の先端とが合わさるようなタイミングで、用紙を２次転写位置に搬送する機能を有している。
【００３３】
定着ユニット７は、ヒートローラ７１および加圧ローラ７２を備えている。ヒートローラ７１および加圧ローラ７２は、用紙を挟んで回転するようになっている。またヒートローラ７１は、図示しない温度検出器からの信号に基づいて制御部２０７（後述する）によって所定の定着温度となるように設定されており、加圧ローラ７２とともにトナーを用紙に熱圧着することにより、用紙に転写された多色トナー像を溶融・混合・圧接し、用紙に対して熱定着させる機能を有している。また、定着ユニット７には、ヒートローラ７１を外部から加熱するための外部加熱ベルト７３が設けられている。
【００３４】
つぎに、片面印字時の用紙搬送について詳細に説明する。上述のように、印刷装置１１０には、予め用紙を収納する給紙トレイ８１、手差トレイ８２が設けられている。これら給紙トレイ８１、手差トレイ８２から用紙を給紙するために、各々ピックアップローラ１１ａ，１１ｂが配置され、用紙をシート搬送路Ｓに導くようになっている。給紙トレイ８１，手差トレイ８２から搬送される用紙は、シート搬送路Ｓの搬送ローラ１２ａによってレジストローラ１３まで搬送され、用紙の先端と中間転写ベルト６１上のトナー像の先端とが合わさるタイミングで２次転写位置に搬送される。２次転写位置において、中間転写ベルト６１から用紙へトナー像が転写される。その後、用紙が定着ユニット７を通過することによって用紙上の未定着トナーが熱で溶融・固着される。定着処理の行われた後の用紙は、定着ユニット７よりも用紙搬送方向の下流側に設置される搬送ローラ１２ｂによって排紙トレイ９１上に排出される。
【００３５】
両面印字時の場合、上記のように片面印字が終了し定着ユニット７を通過した用紙の後端が搬送ローラ１２ｂで把持されたときに、搬送ローラ１２ｂが逆回転することによって用紙を搬送ローラ１２ｃ，１２ｄの設置位置に導く。用紙は、搬送ローラ１２ｃ，１２ｄによってレジストローラ１３の設置位置に搬送され、用紙裏面に画像の印刷が行われた後に排紙トレイ９１に排出される。
【００３６】
（ハードウェアについて）
つぎに、複合機１００が有するハードウェアについて詳細に説明する。図２は本実施形態の複合機の概略構成を示すブロック図である。複合機１００は、上述した画像読取装置９０、印刷装置１１０の他、表示部２００、操作部２０１、通信部２０２、画像データ処理部２０３、制御装置２０４を備えている。
【００３７】
表示部２００は、複合機１００の操作パネル（不図示）に形成されている液晶ディスプレィを指すものであり、複合機１００を操作するために必要な操作情報や印刷画像のプレビュー等を表示するためのものである。また、前記の液晶ディスプレィにはタッチパネルが構成されている。操作部２０１は、前記操作パネルに形成されている各種入力キー、テンキー、スタートキー、モード切替キーおよび、前記タッチパネルを指すものであり、複合機１００に対する各種コマンドを利用者に入力させるためのものである。
【００３８】
通信部２０２は、ＬＡＮ（local Area Network）等の通信ネットワークを介して端末装置３００との間で画像データや各種情報の送受信を行うブロックである。また、通信ネットワークに接続されている端末装置３００から複合機１００に送られる各種データは、通信部２０２を介して、後述する記憶部２０６に記憶されるようになっている。
【００３９】
画像データ処理部２０３は、複合機１００にて扱われる画像データに対して各種画像処理を施す集積回路であり、例えばＡＳＩＣ（application specific integrated circuit）が用いられる。なお、本実施形態の画像データ処理部２０３は、画像読取装置９０にて読み取られた画像データを所定形式のファイル（例えばＰＤＦファイル）に変換する機能をも有する。
【００４０】
制御装置２０４は、図２に示すように、メモリ部２０５、記憶部２０６、制御部２０７を有するコンピュータである。また、制御装置２０４は、画像読取装置９０、印刷装置１１０、表示部２００、操作部２０１、通信部２０２、画像データ処理部２０３に接続されている。
【００４１】
メモリ部２０５は、複合機１００を制御するための制御プログラムを保存するＲＯＭ（Read Only Memory）、および、制御部２０７にて処理されているデータが記憶されるＲＡＭ（Random Access Memory）等を含むブロックである。
【００４２】
記憶部２０６は、複合機１００にて扱われる各種情報、ジョブのデータ、および画像データが保存される記憶領域であり、例えばハードディスク装置が用いられる。また、本実施形態の記憶部２０６は、図２に示すように、第１記憶領域（ファイル記憶部）２０６ａおよび第２記憶領域（テーブル記憶部）２０６ｂを含んでいる。第１記憶領域２０６ａおよび第２記憶領域２０６ｂに記憶されている情報については後に詳述する。
【００４３】
制御部２０７は、例えばプロセッサ等の演算回路である。制御部２０７は、メモリ部２０５に記憶されている制御プログラムに基づき、制御装置２０４に接続されている各ハードウェアに対して制御信号を伝達して、各ハードウェアを制御するようになっている。
【００４４】
つまり、制御部２０７は、複合機１００を制御して複合機１００に各種ジョブを実行させるようになっている。例えば、操作部２０１から複写ジョブの開始命令が入力されると、制御部２０７は、原稿から画像データを読み取る処理を画像読取装置９０に実行させ、この画像データに基づく画像の印刷処理を印刷装置１１０に実行させるようになっている。また、外部の端末装置から複合機１００にプリントジョブのデータが送られ、このデータが記憶部２０６に書き込まれると、制御部２０７は、プリントジョブのデータに含まれる画像データの画像の印刷処理を印刷装置１１０に実行させるようになっている。さらに、制御部２０７は、操作部２０１からファリングジョブの開始命令を入力すると、原稿から画像データを読み取る処理を画像読取装置９０に実行させ、前記画像データに基づくファイリング処理（前記画像データを所定形式の画像ファイルに変換する処理）を画像データ処理部２０３に実行させ、当該画像ファイルを記憶部２０６に保存するようになっている。
【００４５】
（仕分ジョブについて）
また、本実施形態の複合機１００は、定期会議で使用する原稿の画像を示した画像ファイルと仕分先（印刷物の配布先）とを各々複数登録しておき、いずれかの仕分先が指定されると、指定された仕分先に適した印刷条件で、指定された仕分先に必要な原稿の画像が印刷されるようになっている。本実施形態ではこのような処理を仕分ジョブと称する。以下、仕分ジョブについて詳細に説明する。
【００４６】
図２に示すように、複合機１００の記憶部２０６には第１記憶領域２０６ａおよび第２記憶領域２０６ｂが含まれている。第１記憶領域２０６ａには仕分ジョブで印刷される画像の画像ファイルが６つ記憶（登録）されており、第２記憶領域２０６ｂには、仕分先および仕分先毎の印刷条件を示した仕分テーブルが記憶（登録）されている。以下では、まず第１記憶領域２０６ａに記憶されている画像ファイルについて詳細に説明する。
【００４７】
図３は、第１記憶領域２０６ａに記憶されている画像ファイルＡ〜Ｆを説明するための図である。なお、図３（ａ）は、４月の或る日において第１記憶領域２０６ａに記憶されている画像ファイルＡ〜Ｆのファイル名を示したものであり、図３（ｂ）は、５月の或る日において第１記憶領域２０６ａに記憶されている画像ファイルＡ〜Ｆのファイル名を示したものである。
【００４８】
図３に示すように、第１記憶領域２０６ａには、原稿（資料）の画像を示した画像ファイルＡ〜Ｆが記憶されている。画像ファイルＡ〜Ｆは、いずれも定期会議で用いられる原稿の画像を示したファイルであるが、互いに原稿の種類が異なる。具体的に、画像ファイルＡの原稿の種類は「会議議題」であり、画像ファイルＢの原稿の種類は「開発日程」であり、画像ファイルＣの原稿の種類は「製品仕様」であり、画像ファイルＤの種類は「開発技術」であり、画像ファイルＥの原稿の種類は「コスト試算」であり、画像ファイルＦの原稿の種類は「レジメ」である。
【００４９】
また、上記の定期会議は会社において定期的（例えば一月に一回）に開催される会議であり、画像ファイルＡ〜Ｆの各々は、１月に１回のペースで内容が変更されるようになっている。つまり、第１記憶領域２０６ａに記憶される画像ファイルＡ〜Ｆの各々は、原稿の種類が変わらないものの、原稿の内容が月に１回のペースで変わることになる。
【００５０】
そして、本実施形態において、画像ファイルＡ〜Ｆの各々が第１記憶領域２０６ａに記憶される際、利用者によってファイル名が書き換えられることになっている。具体的には、画像ファイルＡ〜Ｆの各々のファイル名は、原稿の種類を示したファイル名に書き換えられるようになっている。
【００５１】
例えば、図３に示すように、画像ファイルＡの原稿の種類は「会議議題」であるため、４月に第１記憶領域２０６ａに記憶される画像ファイルＡのファイル名は「２０１０年４月度議題.doc」から「会議議題.doc」に書き換えられ、５月に第１記憶領域２０６ａに記憶される画像ファイルＡのファイル名は「２０１０年５月度議題.doc」から「会議議題.doc」に書き換えられる。また、画像ファイルＢの原稿の種類は「開発日程」であるため、４月に第１記憶領域２０６ａに記憶される画像ファイルＢのファイル名は「schedule-２０１００４.xls」から「開発日程.xls」に書き換えられ、５月に第１記憶領域２０６ａに記憶される画像ファイルＢのファイル名は「日程５月.xls」から「開発日程.xls」に書き換えられる。
【００５２】
なお、以上にて例示されているファイル名の後ろに付加されている拡張子は、ファイル形式を示す符号である。例えば、「２０１０年４月度議題.doc」のうち、「２０１０年４月度議題」がファイル名であり、「.doc」はファイル形式を示す拡張子である。したがって、４月に記憶される画像ファイルと５月に記憶される画像ファイルとで原稿の種類が同じであってもファイル形式が異なる場合、新ファイル名は同じであるが拡張子は異なることになる。例えば、図３に示すように、画像ファイルＣの原稿の種類は「製品仕様」であり、４月に第１記憶領域２０６ａに記憶される画像ファイルＣのファイル名は「表示仕様.pdf」から「製品仕様.pdf」に書き換えられる一方、５月に第１記憶領域２０６ａに記憶される画像ファイルＣのファイル名は「操作仕様.doc」から「製品仕様.doc」に書き換えられる。
【００５３】
つまり、画像ファイルＡ〜Ｆの各々は、第１記憶領域２０６ａに記憶される際、図３に示す旧ファイル名から新ファイル名にファイル名が書き換えられるのである（ファイル名が上書きされる）。そして、図３に示すように、４月に記憶される画像ファイルと５月に記憶される画像ファイルとで原稿の種類が同じであればファイル名も同じになる。
【００５４】
また、画像ファイルＡ〜Ｆのファイルの形式は、複合機１００にて取り扱い可能な形式であれば限定されるものではない。画像読取装置９０から得られる画像データを変換して生成可能な画像ファイル（ＰＤＦ，ＪＰＧ，ＢＭＰ）であってもよいし、パソコン等の端末装置から複合機１００へ送られる画像ファイル（エクセル，ワード，ＰＤＦ，ＪＰＧ）であってもよい。
【００５５】
つまり、画像ファイルＡ〜Ｆは、複合機１００に接続されている端末装置から複合機１００に送信されたものであってもよいし、画像読取装置９０にて生成された画像データから画像データ処理部２０３が変換したものであってもよい。また、画像ファイルＡ〜Ｆは、リムーバブルメディア（例えばＵＳＢメモリ）から複合機１００に読み込まれたものであってもよい。
【００５６】
つぎに、第２記憶領域２０６ｂに記憶される仕分テーブルについて詳細に説明する。図４は、第２記憶領域２０６ｂに記憶される仕分テーブルを示した図である。
【００５７】
本実施形態の仕分テーブルは、図４に示すように、印刷物（原稿の画像が印刷されたシート）の仕分先（配布先）と、印刷時の印刷条件と、印刷される原稿の画像の画像ファイルとの対応関係を示した表である。
【００５８】
なお、図４の仕分テーブルでは、各ファイル名に属する各行と各仕分先に属する各列とから構成される各枠のうち、数字の示されている枠は、その枠の属する仕分先が利用者に選択された場合にその枠の属するファイル名の画像が印刷される事を示す。また、数字は印刷の順番を示す。そして、画像ファイルのファイル名を示した各行の枠のうち、数字の示されていない枠は、その枠の属する仕分先が利用者に選択された場合にその枠の属するファイル名の原稿の画像が印刷されない事を示す。
【００５９】
つまり、図４の仕分テーブルに示される仕分先のうち「議長」または「社長」が選択されると、「レジメ」の画像ファイルの画像は印刷されず、「会議議題」「製品仕様」「開発日程」「開発技術」「コスト試算」の各画像ファイルの画像がこの順番で印刷されるようになっている。また、例えば、仕分先のうち「企画部」が選択されると、「開発日程」「レジメ」が印刷されず、「会議議題」「製品仕様」「開発技術」「コスト試算」がこの順番で印刷されるようになっている。また、仕分先のうち「担当」が選択されると、「レジメ」のみが印刷されることになる。
【００６０】
また、図４の仕分テーブルは利用者によって設定されるものである。より具体的に説明すると、利用者は、操作部２０１を操作して、仕分先、当該仕分先に適した印刷条件、当該仕分先のために印刷する画像ファイルのファイル名を入力して、図４に示すような仕分テーブルを作成するようになっている。
【００６１】
そして、利用者は、定期会議にて用いる原稿の画像を示した画像ファイルを作成して第１記憶領域２０６ａに格納する場合、当該画像ファイルのファイル名を、仕分テーブルにて示されているファイル名に書き換える。例えば、画像読取装置９０にて得られた画像データに基づいて生成された画像ファイルを第１記憶領域２０６ａに格納する場合、利用者は、複合機１００の操作部２０１を操作して、この画像ファイルのファイル名を、仕分テーブルにて示されているファイル名に書き換えるようになっている。また、複合機１００に接続されている端末装置から複合機１００に画像ファイルを送信して第１記憶領域２０６ａに格納する場合、利用者は、端末装置において送信前に画像ファイルのファイル名を書き換えてもよいし、既に第１記憶領域２０６ａに格納された後の画像ファイルのファイル名を、端末装置から複合機１００へログインして書き換えてもよい。
【００６２】
また、利用者は、複合機１００の操作部２０１を操作することにより、仕分テーブルに示されている印刷条件や各ファイル名を適宜変更でき、また、仕分テーブルにおいて仕分先またはファイル名の追加や削除を適宜行うことも可能である。なお、仕分テーブルにてファイル名の追加または削除を行う場合、この追加または削除に応じて、第１記憶領域２０６ａにてファイルの追加または削除を行う必要がある。また、仕分テーブルにてファイル名の変更を行う場合、この変更に応じて、第１記憶領域２０６ａに記憶されているファイルのファイル名を変更する必要がある。
【００６３】
つぎに、仕分ジョブの処理の流れを図５に基づいて説明する。図５は、本発明の一実施形態に係る仕分ジョブの処理の流れを示したフローチャートである。利用者が操作部を介して仕分ジョブを選択する旨のコマンドを複合機１００へ入力すると（Ｓ１にてＹＥＳ）、制御部２０７は、図４に示す仕分テーブルを表示部２００に表示する（Ｓ２）。
【００６４】
そして、利用者が、表示部２００（タッチパネル）に表示されている仕分テーブルの各仕分先のうち、所望の仕分先をタッチすることによって指定すると、制御部２０７は、当該タッチ動作を、指定された仕分先に対する印刷コマンドとして認識する（Ｓ３にてＹＥＳ）。
【００６５】
このタッチ動作後、制御部２０７は、図４に示す仕分テーブルを参照して、指定された仕分先に対応付けられている各画像ファイルのファイル名を検索し、検索したファイル名を有する画像ファイルを第１記憶領域２０６ａから読み出すようになっている（Ｓ４）。具体的に、第２記憶領域２０６ｂの仕分テーブルに示されている各ファイル名は、第１記憶領域２０６ａの各画像ファイルのうちの同じファイル名を有する画像ファイルにリンクされている。そして、制御部２０７は、第２記憶領域２０６ｂの仕分テーブルに示されている各ファイル名のうち、指定された仕分先に対応付けられているファイル名にアクセスし、アクセスしたファイル名と同じファイル名を有する画像ファイルを第１記憶領域２０６ａから読み出すようになっている。より詳細に説明すると、制御部２０７は、指定された仕分先の列に属する枠において数字が示されている行を有するファイル名を検索し、検索したファイル名を有する画像ファイルを第１記憶領域２０６ａから読み出すようになっている。
【００６６】
その後、制御部２０７は、仕分テーブルを参照して、指定された仕分先に対応付けられている印刷条件を認識し、Ｓ４にて読み出した画像ファイルの画像を前記印刷条件で印刷する処理を印刷装置１１０に実行させる（Ｓ５）。以上の処理により、図４の仕分先テーブルにて示されている各仕分先のうち、所望の仕分先が利用者に指定されると、指定された仕分先に対応付けられている印刷条件で、指定された仕分先に対応付けられている画像ファイルの画像が用紙上に印刷されることになる。例えば、図４に示される各仕分先のうち企画部が指定されると、図４に示されている「企画部」の列に記載されている印刷条件によって、「会議議題」「製品仕様」「開発技術」「コスト試算」の画像ファイルの画像がこの順序で印刷されることになる。
【００６７】
本実施形態では、以上のように、複合機１００が第１記憶領域２０６ａおよび第２記憶領域２０６ｂを有している。第１記憶領域２０６ａには、原稿の画像を示した画像ファイル（原稿ファイル）が複数記憶されている。第２記憶領域２０６ｂには、画像ファイルの画像の印刷物の仕分先（配布先）と、第１記憶領域２０６ａに記憶されている複数の画像ファイルのうち前記仕分先にて必要となる原稿の画像を示した画像ファイルのファイル名と、前記仕分先に対して配布される印刷物の印刷条件との対応関係を示した仕分テーブルが記憶されている。そして、制御部２０７は、仕分テーブルの各仕分先のうち、利用者に指定された仕分先（第１配布先）に対する印刷指示（印刷コマンド）を受け付けると、仕分テーブルにて前記第１配布先に対応付けられている印刷条件で、仕分テーブルにて前記第１配布先に対応付けられているファイル名の画像ファイルの画像が印刷されるように、印刷装置１１０を制御している。
【００６８】
つまり、本実施形態の複合機１００によれば、各仕分先と各仕分先の印刷条件と各仕分先に必要な原稿ファイルとの対応関係が予め記憶されており、この対応関係に従って印刷処理が実行されることになる。したがって、定期会議によって各仕分先への原稿の印刷物の配布が必要になる度に、定期会議にて必要になる全ての原稿の画像ファイルを仕分テーブルにて定められているファイル名で第１記憶領域２０６ａに格納さえしておけば、仕分先毎の印刷条件の設定作業や仕分先毎の原稿の選定作業を省略して、仕分先毎に異なる印刷条件で異なる原稿の画像の印刷が可能になる。それゆえ、利用者の手間を軽減できるという効果を奏する。
【００６９】
また、図４に示すように、仕分テーブルには、仕分先と前記仕分先にて必要となる画像ファイルの印刷順序との対応関係が示されており、制御部２０７は、利用者に指定された仕分先（第１配布先）に対する印刷指示（印刷コマンド）を受け付けると、テーブルにて第１配布先に対応付けられている印刷順序で各画像ファイルの画像が印刷されるように複合機１００を制御することになる。これにより、仕分テーブルに所望の印刷順序を設定しておけば、常に所望の印刷順序で画像ファイルの原稿の画像が印刷されるため、積載された印刷物の並び順をソートする必要がないという効果を奏する。
【００７０】
なお、図５のＳ２において、仕分テーブルを表示するのではなく、仕分テーブルに示されている各仕分先のみを表示する形態であってもよい。この形態であっても、利用者は、仕分先の指定が可能だからである。
【００７１】
また、図２に示すように、複合機１００は通信ネットワークを介して端末装置（印刷制御装置）３００と接続されている。この端末装置３００は、複合機１００の印刷装置１１０を制御するためのプリンタドライバがインストールされており、印刷ジョブの内容を示すジョブデータを複合機１００に送信することによって複合機１００に印刷処理を実行させるようになっている。そして、端末装置３００は、図３に示す各画像ファイルＡ〜Ｆを記憶する記憶領域と、図４に示す仕分テーブルとを格納する記憶領域と、ジョブデータを複合機１００に送信することによって仕分ジョブを複合機１００に実行させる制御部とを備えていてもよい。この場合、端末装置３００の制御部は、仕分テーブルにて示されている配布先の中の第１配布先に対する印刷指示を受け付けた場合、仕分テーブルにて第１配布先に対応付けられている印刷条件で、仕分テーブルにて第１配布先に対応付けられているファイル名の原稿ファイルの画像を印刷装置１１０に印刷させるためのジョブデータを複合機１００に送信する。つまり、端末装置３００の制御部は、前記テーブルにて第１配布先に対応付けられている印刷条件で、前記テーブルにて第１配布先に対応付けられているファイル名の原稿ファイルの画像を印刷する印刷処理を印刷装置１１０に実行させるようになっている。
【００７２】
また、複合機１００に記憶される仕分テーブルには、さらに、各配布先と各配布先が有する複合機のアドレスとの対応関係が示されていてもよい。そして、複合機１００が或る配布先（第２配布先）に対する送信指示を利用者から受け付けた場合、通信部（送信部）２０１が、仕分テーブルにおいて第２配布先に対応付けられている印刷条件と第２配布先に対応付けられているファイル名の画像の画像データとを示した印刷データを前記アドレスに送信するようになっていてもよい。
例えば、図２に示すように、仕分テーブルを記憶している複合機１００は通信ネットワークを介して複合機４００に接続されているものとする。複合機４００は、企画部が有するものであり、企画部のフロアーに設置されているものである。そして、複合機１００に記憶される仕分テーブルには、複合機４００のアドレスが「企画部」に対応付けられて示されている。
複合機１００が企画部に対する送信指示を受け付けた場合、仕分テーブルにて企画部に対応付けられている印刷条件と企画部に対応付けられているファイル名の画像データとを示した印刷データを制御部２０７が生成する。そして、通信部２０２は、前記印刷データを、仕分テーブルにて企画部に対応付けられているアドレス（複合機４００）に送信するようになっている。複合機４００は、印刷データを受信すると、この印刷データに基づき、仕分テーブルにて企画部に対応付けられている印刷条件で、仕分テーブルにて企画部に対応付けられているファイル名の画像を印刷するようになっている。以上の構成によれば、各配布先の利用者は、当該利用者が日頃から使用している複合機から印刷物を出力することが可能になり、利用者の手間をさらに軽減することができる。なお、前記の印刷データは、例えばＰＤＦファイル等の電子データである。
【００７３】
また、例えば、定期会議の前日に、資料準備担当者（事務局）が第１記憶領域２０６ａに記憶されている全ての画像ファイル（会議資料）の画像を印刷した後、画像ファイルＦの作成者が画像ファイルＦの内容を更新したような場合、会議の場において、出席者に印刷配布された会議資料（画像ファイルＦの印刷物）と、画像ファイルＦの作成者の説明内容とが合わないという不都合が生じる。そこで、制御部２０７は、第１記憶領域２０６ａに対するデータの書込処理を設定期間にて許可し、前記設定期間以外の期間では第１記憶領域２０６ａに対するデータの書込処理を禁止するようになっていることが好ましい（ライトプロテクト）。ここで、上記の設定期間は、利用者からの入力指示によって設定される期間であり、例えば定期会議の前日等が設定される。このような構成において、資料準備担当者は、設定期間の満了直後に画像ファイルの画像の印刷を行うようにすれば、上述した不都合が生じない。また、前記の書込処理は、（ａ）利用者が操作部２０１を操作することによって、リムーバブルメディアから画像ファイルを複合機１００に入力し、この画像ファイルを第１記憶領域２０６ａに書き込む処理（上書き,消去を含む）と、（ｂ）利用者が端末装置３００を操作することによって、端末装置３００から画像ファイルを複合機１００に入力し、この画像ファイルを第１記憶領域２０６ａに書き込む処理とを意味する。
【００７４】
なお、複合機１００において、制御部２０７が、印刷に利用される画像データを印刷メモリ（不図示）に一旦書き込み、印刷メモリの画像データを印刷順に読み出して印刷装置１１０に入力するようになっている場合、印刷に用いられる各画像ファイルは印刷メモリにおいて印刷順に並べて記憶されるようになっていることが好ましい。これにより、印刷時のデータの読み出しがスムーズになる。具体的に、制御部２０７は、Ｓ４において、指定された仕分先に対応付けられている各画像ファイルを第１記憶領域２０６ａから読み出した後、これら画像ファイルを印刷メモリにおいて印刷順に並べて書き込む。そして、制御部２０７は、印刷メモリに並べられている画像ファイルを印刷順に読み出して印刷装置１１０に入力し、印刷装置１１０に印刷処理を行わせるようになっている（Ｓ５）。
【００７５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７６】
本発明は、複合機、複写機、プリンタ等に利用できる。
【符号の説明】
【００７７】
９０    画像読取装置
１００    複合機（画像形成装置）
１１０    印刷装置
２０２    通信部
２０４    制御装置（印刷制御装置）
２０６    記憶部
２０６ａ  第１記憶領域（ファイル記憶部）
２０６ｂ  第２記憶領域（テーブル記憶部）
２０７    制御部
３００    端末装置（印刷制御装置）
【図１】
2012011703.tif 000003
【図２】
2012011703.tif 000004
【図３】
2012011703.tif 000005
【図４】
2012011703.tif 000006
【図５】
2012011703.tif 000007